(57)【要約】  ケーシング（１０）背面の吸込口（９）に設けられる保護ネット（２０）は、外周部を構成する枠体（２１）と、枠体（２１）の内側で互いに交差して複数の通風口（２４）を形成する複数の縦桟（２２）および複数の横桟（２３）と、を有し、横桟（２３）は、上面が後方に下って傾斜する後側上面（２３ａ）と前方に下って傾斜する前側上面（２３ｂ）とが組み合わされて縦断面視にて下方に開くＶ字状を示しており、降雪時、横桟（２３）上の雪は下向きの傾斜に沿って滑り落ちて横桟（２３）上で雪が氷結することがないので、氷によって通風口（２４）の開口面積が減少することがない信頼性の高い空気調和機の室外機を提供できる。
2019215803.tif 000002
【特許請求の範囲】
【請求項１】
背面に吸込口が形成されたケーシングと、前記吸込口に少なくとも一部分が面して前記ケーシング内に設置される室外熱交換器と、複数の通風口を有して前記吸込口に設けられる保護ネットと、を備え、前記保護ネットは、外周部を構成する枠体と、前記枠体の内側で互いに交差して複数の前記通風口を形成する複数の縦桟および複数の横桟と、を有し、前記横桟は、上面が後方に下って傾斜する後側上面と前方に下って傾斜する前側上面とが組み合わされて縦断面視にて下方に開くＶ字状を示している空気調和機の室外機。
【請求項２】
前記横桟の上端となる前記後側上面と前記前側上面との接続部の位置にパーティングラインが設定されて該接続部にはＲ面が形成されていない請求項１に記載の空気調和機の室外機。
【請求項３】
前記枠体は、複数の前記縦桟が跨っている上側枠および下側枠を有し、前記下側枠は、上部に後方へと下る傾斜面が形成されている請求項１または２に記載の空気調和機の室外機。
【請求項４】
前記下側枠は、前後方向に前記上側枠よりも後方に位置し、前記縦桟は、前記上側枠から後方へ出っ張る膨張部を有し、該膨張部から下は下向きに直線状に延出して前記下側枠に接続され、複数の前記横桟は、前記膨張部よりも下方で前記縦桟と交差している請求項１から３のいずれかに記載の空気調和機の室外機。
【請求項５】
前記枠体は、前記上側枠と前記下側枠との両端部をそれぞれ上下方向に接続する一対の縦枠を有し、前記一対の縦枠は、前記上側枠から後方へ出っ張る膨張部を有し、該膨張部から下は下向きに直線状に延出して前記下側枠に接続され、前記一対の縦枠の少なくとも一方は、前記膨張部よりも下方となる部分から突出する取付部を有し、前記取付部は、前方へと延出するアーム板と、このアーム板の前端に連設され前記ケーシングの背面に固定される固定板と、を有する請求項４記載の空気調和機の室外機。
【請求項６】
前記一対の縦枠の少なくとも一方は、前記膨張部よりも下方で前記取付部とは異なる部分から突出する矯正部を有し、前記矯正部は、前方へと延出するアーム板と、このアーム板の前端に連設される当て板を有し、前記取付部の固定板が前記ケーシングの背面に固定されると、前記当て板から前記ケーシングの背面に押付力が作用する請求項５記載の空気調和機の室外機。
【請求項７】
前記ケーシングは、該ケーシングの底面を構成し、平面視で長方形状の底板を有し、前記底板は、周囲に上向きに折り曲げられた底フランジを有し、前記下側枠は、前記底フランジにあって背面側に位置する背面側底フランジの後方に、該背面側底フランジと前後方向に間隔を空けて位置するとともに、前方へ突出する矯正突起を有し、前記取付部の固定板が前記ケーシングの背面に固定されると、前記矯正突起から前記背面側底フランジに押付力が作用する請求項６記載の空気調和機の室外機。
【請求項８】
前記ケーシングは、該ケーシングの底面を構成するとともに、下面に脚部が固定されている底板を有し、前記脚部は、前後方向に前記底板を跨いでおり、前記下側枠は、前記脚部の上となる位置に、左右方向に前記脚部を跨いで部分的に前方へ出っ張る前方逃げ部を有する請求項４から６のいずれかに記載の空気調和機の室外機。
【請求項９】
前記ケーシングは、該ケーシングの底面を構成するとともに、下面に脚部が固定されている底板を有し、前記脚部は、前後方向に前記底板を跨いでおり、前記下側枠は、前記脚部の上となる位置に、左右方向に前記脚部を跨いで部分的に上方にずれている上方移動部を有している請求項４から６のいずれかに記載の空気調和機の室外機。
【請求項１０】
前記横桟は、縦断面形状が前記室外熱交換器の方向に開くＶ字形状である請求項１から９のいずれかに記載の空気調和機の室外機。
【発明の詳細な説明】
【技術分野】
【０００１】  この発明は、空気調和機の室外機に関し、特に、室外熱交換器の背面側に位置して室外熱交換器を保護する保護ネットに関するものである。
【背景技術】
【０００２】  空気調和機の室外機は、底板上に直立する仕切板によって、ケーシングの内部が左右方向に２つの空間に区切られており、一方が室外熱交換器や送風ファンが配置されているファン室、他方が機械室で圧縮機や制御基板を収める電気品ユニットが配置されている。【０００３】  室外熱交換器は中途の曲がり部で略９０°に円弧状に曲げられ、平面視で略Ｌ字形状をなしている。Ｌ字形状の長辺に相当する長辺部がファン室の背面寄りに位置し、短辺に相当する短辺部が左右方向にファン室における機械室とは反対側の側面寄りに位置する。曲がり部は長辺部と短辺部の間でファン室の角部に位置する。室外熱交換器の長辺部の外向面（背面）は外部に露出しており、この露出部分を保護するために室外機の背面側には、複数の縦桟と複数の横桟とが格子状に交差して複数の通風口が形成されている保護ネットが取り付けられている。（例えば、特許文献１参照。）
【先行技術文献】
【特許文献】
【０００４】
【特許文献１】特開２０１２−１１２６２９号公報（０００５段落、図６、図７）
【発明の概要】
【発明が解決しようとする課題】
【０００５】  近年、暖房能力の向上によりヒートポンプ式の空気調和機が寒冷地にも普及しており、冬場の外気温度が０℃以下となる寒冷地に設置されることもある。寒冷地の屋外に設置される室外機では、冬場の降雪で保護ネットの横桟上に雪が積もり、積もった雪が横桟上で氷結することがある。氷結が始まると氷の塊にさらに雪が積もっていき、氷の塊は巨大化していく。【０００６】  保護ネットの通風口は氷の塊によって開口面積が減少し、通風口を通って室外熱交換器へと向かう空気流量が減少する。このため、室外熱交換器での冷媒の熱交換量が低下して、暖房性能が低下するという課題があった。【０００７】  この発明は、上記のような課題を解決するためになされたもので、降雪時に保護ネットの横桟の上で雪が氷結することを防止し、保護ネットの通風口を通る空気流量が減少することを回避できる空気調和機の室外機を提供することを目的とする。
【課題を解決するための手段】
【０００８】  この発明に係る空気調和機の室外機は、背面に吸込口が形成されたケーシングと、前記吸込口に少なくとも一部分が面して前記ケーシング内に設置される室外熱交換器と、複数の通風口を有して前記吸込口に設けられる保護ネットと、を備え、前記保護ネットは、外周部を構成する枠体と、前記枠体の内側で互いに交差して複数の前記通風口を形成する複数の縦桟および複数の横桟と、を有し、前記横桟は、上面が後方に下って傾斜する後側上面と前方に下って傾斜する前側上面とが組み合わされて縦断面視にて下方に開くＶ字状を示しているものである。
【発明の効果】
【０００９】  この発明によれば、降雪時に保護ネットの横桟の上で雪が氷結することを防止して保護ネットの通風口を通る空気流量が減少することを回避できる信頼性に優れた空気調和機の室外機を提供することができる。
【図面の簡単な説明】
【００１０】
【図１】この発明の実施の形態１における空気調和機の室外機の正面側からの外観斜視図である。
【図２】図１に示す室外機の分解斜視図である。
【図３】図１に示す室外機の背面側からの外観斜視図である。
【図４】図１に示す室外機の保護ネットの単体斜視図である。
【図５】図４に示す保護ネットの横桟の縦断面を示す要部断面斜視図である。
【図６】図４に示す保護ネットの横桟の縦断面図である。
【図７】図４に示す保護ネットの下側枠の縦断面を示す要部断面斜視図である。
【図８】図４に示す保護ネットの下側枠の縦断面図である。
【図９】図４に示す保護ネットの上部を説明するための斜視図である。
【図１０】図４に示す保護ネットの上部を説明するための斜視図である。
【図１１】図１に示す室外機の背面側部分の縦断面図である。
【図１２】図４に示す保護ネットの上部を正面側から見た斜視図である。
【図１３】図４に示す保護ネットの下側係止部とその周辺を示す拡大斜視図である。
【図１４】図４に示す保護ネットの取付部とその周辺を示す拡大斜視図である。
【図１５】図４に示す保護ネットの縦桟の横断面を示す要部断面斜視図である。
【図１６】図４に示す保護ネットの矯正部とその周辺を示す拡大斜視図である。
【図１７】図４に示す保護ネットの矯正突起の要部拡大斜視図である。
【図１８】図４に示す保護ネットの前方逃げ部とその周辺を示す拡大斜視図である。
【図１９】この発明の実施の形態２における空気調和機の室外機の背面側からの外観斜視図である。
【図２０】図１９に示す室外機の保護ネットの単体斜視図である。
【発明を実施するための形態】
【００１１】実施の形態１．  以下、この発明の実施の形態１について、図面を参照しながら説明する。図１は、この発明の実施の形態１に係る空気調和機の室外機１００（以降、室外機１００と称す）の正面側からの外観斜視図、図２はその室外機１００の分解斜視図である。そして、図３は室外機１００の背面側からの外観斜視図である。この室外機は屋外に設置され、図示されない屋内の室内機と冷媒配管で接続され、冷凍サイクルが構成される。室外機１００と室内機とで、セパレート型の空気調和機を構成する。
【００１２】  室外機１００は、左右方向が前後方向より長い直方体形状の外観を呈していて、図２に示すように、ケーシング１０の内部が仕切板５によって左右方向に２つの空間に区切られている。一方の空間が室外熱交換器１や送風ファン２が配置されているファン室Ｆであり、他方の空間が圧縮機３や制御基板を収める電気品ユニット４が配置されている機械室Ｍとなっている。
【００１３】  ケーシング１０は複数の板金部品から構成されている。それらは、底面を構成する底板１１、正面を覆う正面パネル１２、左右それぞれの側面を覆う左側面パネル１３と右側面パネル１４、上面を覆う天面パネル１５、そして、ファン室Ｆの左端部の背面、言い換えるとファン室Ｆの機械室Ｍとは反対側の端部の背面を覆う左背面パネル１６、および機械室Ｍの背面を覆う右背面パネル１７である。この室外機１００では、左側面パネル１３および左背面パネル１６は正面パネル１２と一体に成形されている。また、右背面パネル１７は右側面パネル１４と一体成形されている。また、底板１１の下面には当該室外機１００を支える一対の脚部１１ａが固定されている。脚部１１ａは前後方向に底板１１を跨いでおり、その前端部は底板１１よりも前方に位置し、後端部は底板１１よりも後方に位置している。
【００１４】  平面視で長方形状の底板１１の周囲４方向は、連続的に上向きに折り曲げられて底フランジ１１ｂが形成されている。また、同じく平面視で長方形状の天面パネル１５の周囲４方向は、連続的に下向きに折り曲げられて上フランジ１５ａが形成されている。背面側底フランジ１１ｂ１は、四辺ある底フランジ１１ｂのなかで左右方向に延びて背面側に位置しているものである。同様に、背面側上フランジ１５ａ１は、四辺ある上フランジ１５ａのうち、左右方向に延びて背面側に位置しているものである。そして、ケーシング１０の背面には、周囲を天面パネル１５の背面側上フランジ１５ａ１と左背面パネル１６と右背面パネル１７と底板１１の背面側底フランジ１１ｂ１とに囲まれた矩形状の開口が形成されており、この開口が空気流の吸込口９となる。
【００１５】  ここで、図１に示すように、この実施の形態の説明においては、正面パネル１２が位置する方向を正面側として、その反対方向を背面側とする。そして、正面側と背面側を結ぶ方向を前後方向と呼ぶ。正面側を前面側や前方と、背面側を後方と表現することもある。また、その正面側から室外機１００を見て機械室Ｍが位置する方向を右側、ファン室Ｆが位置する方向を左側として、それらを結ぶ方向を左右方向と呼ぶ。
【００１６】  機械室Ｍにおいて、圧縮機３は底板１１上に防振ゴムを介して設置され、電気品ユニット４は機械室Ｍの上部に位置している。そして、機械室Mに面する右側面パネル１４には、室内機との接続配管が接続される接続バルブが右側方に突出するための切り欠き１４ａと室内機からの電源線や信号線を機械室Ｍの内部に通すための開口１４ｂが形成されている。さらに右側面パネル１４には、切り欠き１４ａと開口１４ｂとを覆う別体の側面カバー１８が取り付けられる。
【００１７】  ケーシング１０内のファン室Ｆには、室外熱交換器１および送風ファン２が設置される。室外熱交換器１は、中途の曲がり部１ｃで円弧状に略９０°曲げられ、平面視で略Ｌ字形状をなしており、底板１１上に設置されている。Ｌ字の長辺に相当する長辺部１ａがファン室Ｆの背面寄りに位置し、短辺に相当する短辺部１ｂがファン室Ｆの左側面寄り、すなわち機械室Ｍとは反対側の側面寄りに位置している。長辺部１ａと短辺部１ｂとの間の曲がり部１ｃは、ファン室Ｆの背面左側の角部、すなわち機械室Ｍとは反対側の背面側角部に位置する。長辺部１ａは底板１１の背面側底フランジ１１ｂ１および天面パネル１５の背面側上フランジ１１ａ１に平行であり、短辺部１ｂは左側面パネル１６に平行である。
【００１８】  室外熱交換器１は、フィンアンドチューブ型で、互いが平行となるように水平方向に並列する複数の薄板状のフィンを、金属製の伝熱管が貫通しながら鉛直方向に複数列を成して挿設されている。フィンはアルミニウムを素材としていて、伝熱管には銅管が使用されている。室外熱交換器１は、直線状の熱交換器が曲がり部１ｃで円弧状に曲げられて平面視で略Ｌ字形状になる。
【００１９】  送風ファン２は軸流ファンであり、ファンモータ支持具６に支持されたファンモータ７に接続されて、室外熱交換器１の長辺部１ａの前方に配置される。送風ファン２の前方に位置する正面パネル１２には、送風ファン７に対向して吹出口１２ａが形成され、その吹出口１２ａには、異物が回転中の送風ファン７に接触するのを防ぐためのファンガード１９が設けられている。
【００２０】  図３に示すように、室外機１００の背面側では、ケーシング１０の背面に形成されている吸込口９から室外熱交換器１の一部分が外部に露出される。室外熱交換器１は、長辺部１ａと曲がり部１ｃの長辺部１ａに連続する一部分が吸込口９に臨んでケーシング１０内に設置されている。そして、ケーシング１０の背面の吸込口９には室外熱交換器１を保護するための保護ネット２０が設けられている。保護ネット２０は、吸込口９に面している部分の室外熱交換器１の後方に位置する。保護ネット２０の詳細について以下に説明する。
【００２１】  図４は、保護ネット２０の単体の斜視図で、正面側から見ており、室外熱交換器１と対向する側が示されている。保護ネット２０は樹脂材料で一体成形されており、外周部を構成する枠体２１と、枠体２１の内側で互いに交差するように形成されている複数の縦桟２２および複数の横桟２３とを備える。枠体２１の機械室側枠２１Ｃは、室外機１００の背面側上部に設置されている外気温検出装置８を避けて一部が左右方向に傾斜している（図３参照）。枠体２１は、その傾斜部分を除いた機械室側枠２１Ｃと反機械室側枠２１ｄが室外機１００の上下方向と平行に、上側枠２１Ａおよび下側枠２１Ｂが室外機１００の左右方向と平行になるように、室外機１００の背面に取り付けられる。
【００２２】  外気温検出装置８は、前後方向に空気の流通が可能な樹脂製ケース内にサーミスタ温度計が収納されており、室外熱交換器１の後方、すなわち空気流における室外熱交換器１の上流側に位置して、室外熱交換器１を通過しようとする空気流の温度を検出する。
【００２３】  縦桟２２は枠体２１の反機械室側枠２１Ｄに平行で、上側枠２１Ａと下側枠２１Ｂとに跨がっている。横桟２３は下側枠２１Ｂに平行であり、機械室側枠２１Ｃと反機械室側枠２１Ｄとに跨がっている。そのため、縦桟２２と横桟２３とは互いに直交しており、これらが直交することで、枠体２１の内側には、格子状に複数の通風口２４が形成されている。なお、枠体２１にあって、機械室側枠２１Ｃと反機械室側枠２１Ｄとを一対の縦枠と称する。一対の縦枠は、上側枠２１Ａと下側枠２１Ｂとの左右方向の両端部をそれぞれ上下方向に接続している。
【００２４】  当該空気調和機の冷房運転中もしくは暖房運転中には送風ファン２が回転し室外機１００を通過する空気流が生成されている。空気流は室外熱交換器１を通過するが、長辺部１ａおよび一部の曲がり部１ｃを通過する空気流は、保護ネット２０の複数の通風口２４を通ってから室外熱交換器１を通過する。すなわちこのような空気流は背面側から前面側へと向かう流れであり、この空気流に対して保護ネット２０は室外熱交換器１の上流側に位置する。空気流は室外熱交換器１を通過する際に室外熱交換器１の伝熱管を流れる冷媒と熱交換する。冷媒は圧縮機３の作用によって冷凍サイクルを循環する。冷媒と熱交換した空気流は送風ファン２を通過し吹出口１２ａから室外機１００の外部へと流出する。
【００２５】  図５は、保護ネット２０の横桟２３の縦断面を示す要部断面斜視図、図６は横桟２３の縦断面図である。図６に示すように、縦断面視にて、横桟２３の上面は平坦ではなく、下方に開くＶ字状、別の言い方をすれば、Λ（ラムダ）状を示している。後側上面２３ａが正面側から背面側に向かって下る傾斜面となっており、前側上面２３ｂが背面側から正面側に向かって下る傾斜面となっている。このように傾斜方向が相反する後側上面２３ａと前側上面２３ｂとが鋭角を成すように互いの上端が接続部２３ｃで接続している。
【００２６】  保護ネット２０は、横桟２３の上面が後方に下って傾斜している後側上面２３ａと前方に下って傾斜している前側上面２３ｂとの２つの傾斜面が組み合わされて、断面視にて下方に開くＶ字状（逆Ｖ字状とも言う）を示すように構成されているので、降雪時、横桟２３に載った雪は後側上面２３ａもしくは前側上面２３ｂの下向きの傾斜に沿って滑り落ちるようになる。そのため、横桟２３に載った雪はそこに留まることがなく、横桟２３の上には雪が積もらない。
【００２７】  このように、保護ネット２０は、横桟２３の上面が下方に開くＶ字状を呈して傾斜しているので、降雪時でも横桟２３には雪が積もらない。そのため、横桟２３の上で雪が氷結することもない。よって、氷によって通風口２４の開口面積が減少することがなく、通風口２４を通って室外熱交換器１へと向かう空気流量が低下しない。したがって、室外熱交換器１における冷媒の熱交換量が低下することはなく、暖房性能の低下は生じない。
【００２８】  また、横桟２３上で雪が氷結することがないので、横桟２３上の積雪に起因する氷が塊となって巨大化して室外熱交換器１に接触することがない。そのため、室外熱交換器１のフィンが変形して空気流が通過するフィン間のすきまを狭くしたり塞いだりすることがなく、室外熱交換器１を通過する空気流量は低下しない。よって、室外熱交換器１における冷媒の熱交換量が低下することはなく、暖房性能の低下は生じない。
【００２９】  図６に示すように、保護ネット２０の横桟２３は、下面も平坦ではなく、上方に開く（通常の）Ｖ字状を示している。下面も２つの傾斜面から成り、上面の２つの傾斜面（後側上面２３ａとは前側上面２３ｂ）と上下方向に対称となる向きに傾斜している。しかし、横桟２３の縦断面形状は、下方に開くＶ字状を呈する上面と上方に開くＶ字状を呈する下面とが組み合わされたひし形ではない。横桟２３は、縦断面において、後側上面２３ａの長さの方が前側上面２３ｂの長さよりも長くなっていて、その縦断面形状は、室外熱交換器１側、すなわち正面側に開いているＶ字形状となっている。
【００３０】  横桟２３の断面形状を上記のようなＶ字形状としているのは、横桟２３の肉厚を当該保護ネット２０の基準肉厚に一定とするためである。なお、後述するが、縦桟２２は水平断面形状がＵ字形状であり、その肉厚も基準肉厚となっている。図６に示されている縦桟２２は側面視の状態であり、その前後方向幅は肉厚を示しているものではない。この保護ネット２０は、基準肉厚を２ｍｍとしている。横桟２３は、上面が下方に開くＶ字状に傾斜しているだけでなく、縦断面形状を正面側に開くＶ字形状として、肉厚を均一化しているので、保護ネット２０の射出成形時に溶融樹脂のスムーズな流動性を確保しつつ、ヒケの発生を防止している。
【００３１】  Ｖ字形状の横桟２３のＶ字の頂点部分にはラウンド形状（Ｒ形状）が形成されている。Ｖ字形状の頂点部分とは上面（後側上面２３ａ）と下面とが接続する部分である。一方、横桟２３の上端となる後側上面２３ａと前側上面２３ｂとの接続部２３ｃには、ラウンド形状を形成しないようにして、雪が上端の接続部２３ｃに留まらないようにしている。射出成形時の金型の分離面を後側上面２３ａと前側上面２３ｂと接続位置、すなわち接続部２３ｃの位置に合わせることで、横桟２３の上端である接続部２３ｃにラウンド形状を形成しないようにできる。これは、パーティングラインを接続部２３ｃの位置に設定するということである。そのため、横桟２３の上端（接続部２３ｃ）にはそこにパーティングラインが設定されていることで突起が形成されることがある。このようにして、接続部２３ｃにはＲ面が形成されていない。
【００３２】  さらに、保護ネット２０は、枠体２１の下側枠２１Ｂにも雪が積もらないための傾斜面が形成されている。図７は、保護ネット２０の下側枠２１Ｂの縦断面を示す要部断面斜視図、図８は下側枠２１Ｂの縦断面図である。下側枠２１Ｂは、基準肉厚を保ちつつ枠体２１としての強度を確保するために、背面側へ膨らむ拡張部２１Ｂａを設けている。そして、この拡張部２１Ｂａは上部に、正面側から背面側に向かって下る傾斜面２１Ｂ１を外向面として備えている。このため、降雪時、下側枠２１Ｂに載った雪は傾斜面２１Ｂ１の後方斜め下向きの傾斜に沿って滑り落ち、ここに雪は積もらない。
【００３３】  なお、下側枠２１Ｂの傾斜面２１Ｂ１は後方斜め下向きの傾斜だけで、横桟２３の前側上面２３ｂに相当する前方斜め下向きの傾斜面が形成されていない。拡張部２１Ｂａの上端は鋭角に尖ってはおらず、そこには幅小の平坦面２１Ｂ２が存在する。これは、この平坦面２１Ｂ２で拡張部２１Ｂａの内側部分への雪の侵入を抑制し、平坦面２１Ｂ２より幅広な拡張部２１Ｂａの内側底面２１Ｂ３に雪が積もることを防いでいるからである。なおここで、幅小、幅広の幅とは前後方向の幅のことである。拡張部２１Ｂａの上端に平坦面２１Ｂ２に代わって前方斜め下向きの傾斜面を形成すれば、拡張部２１Ｂａの内側に雪が入り込み易くなってしまうのである。
【００３４】  これまで説明したとおり、保護ネット２０は横桟２３および下側枠２１Ｂの上部に斜め下向き傾斜面を設けており、降雪時には、その傾斜面を滑って雪が落下するので、そこに雪が積もらない。このため、横桟２３および下側枠２１Ｂの上で雪が氷結することもなく、通風口２４の開口面積が氷で縮小されることがない。よって、室外熱交換器１を通過する空気流量が低下することはなく、暖房性能が維持される。このように、室外機１００は、保護ネット２０への積雪による暖房性能の低下を防止できる信頼性の高いものとなる。
【００３５】  以上のように保護ネット２０は、横桟２３に雪が積もらず、そこで雪が氷結することを回避する。一方、暖房運転していると、室外熱交換器１は蒸発作用をしているため、室外熱交換器１のフィン表面に、空気中の水分が凝縮しこの凝縮水が凍結して霜を形成する。霜によって熱交換器の熱交換能力が低下してしまうので、一時的に冷凍サイクルの冷媒の流れ方向を切り替え、室外熱交換器１に凝縮作用をさせて霜を溶かすデフロスト運転が行われる。ここで寒冷地においては、このデフロスト運転の終了後に、デフロスト運転で溶けた霜がフィン表面を伝って降下している途中で凍ってしまう現象が起こり得る。
【００３６】  フィン表面で凍結した氷にさらに雪が積もり、その雪が氷結することによって氷が大きくなる。もし保護ネット２０が室外熱交換器１の背面に近接して配置されていると、室外熱交換器１で大きくなっている氷が保護ネット２０の横桟２３に架かり、横桟２３に架かった氷にさらに雪が積もって氷結する恐れがある。そうなると、横桟２３の上面を斜め下向きに傾斜させていたとしても、横桟２３上で氷の塊が大きくなり、保護ネット２０の通風口２４の開口面積を減少させてしまうことになる。
【００３７】  そこで、この保護ネット２０は室外熱交換器１に形成された氷が横桟２３に架かることを回避するために、機械室側枠２１Ｃと反機械室側枠２１Ｄおよび各縦桟２２の上部に、上側枠２１Ａから後方に出っ張る膨張部２１ａ、２２ａを設け、横桟２３が室外熱交換器１の背面と距離を隔てて位置するようにしている。図９および図１０は、保護ネット２０の上部を説明する斜視図である。図９は、天面パネル１５等のケーシング１０を取り外した状態を示し、図１０はそれらケーシング１０が取り付けられている状態を示している。また、図１１は、室外機１００の背面側部分の縦断面図である。
【００３８】  図９〜１１に示すように、機械室側枠２１Ｃと反機械室側枠２１Ｄのそれぞれの膨張部２１ａ、および各々の縦桟２２の膨張部２２ａはすべて、いちばん上に位置する横桟２３よりも上方に設けられる。そして、縦桟２２の膨張部２２ａは、上側枠２１Ａの背面下部から背面方向へ突出する直線部２２ａ１と、直線部２２ａ１の先端から後方斜め下向きに延びる傾斜部２２ａ２とから構成される。縦桟２２は、傾斜部２２ａ２の下端から下は下方にまっすぐに延出して、前後方向に上側枠２１Ａよりも後方に位置している下側枠２１に接続される。膨張部２２ａにおいて、直線部２２ａ１と傾斜部２２ａ２は滑らかなカーブで接続される。縦桟２２ａは、膨張部２２ａの下端から下は下向きに直線状に下側枠２１Ｂまで延出しており、その直線状の部分にすべての横桟２３が交差している。
【００３９】  一対の縦枠（機械室側枠２１Ｃと反機械室側枠２１Ｄ）のそれぞれの膨張部２１ａも縦桟２２の膨張出部２２ａと同様な直線部２１ａ１と傾斜部２１ａ２により構成されていて、膨張部２１ａの下端から下は下向きに直線状に下側枠２１Ｂまで延出している。ただし、機械室側枠２１Ｃは、一部が外気温検出装置８を避けて左右方向に傾斜しており、この部分は、下向きに直線状とは言えないが、前後方向に対して傾斜してはいない。
【００４０】  いちばん上に位置する横桟２３は傾斜部２２ａ１の下端よりも下の位置で縦桟２２と交差するので、複数の横桟２３のすべてが膨張部２２ａよりも下方の下向き直線状の縦桟２２と交差することになる。それにより、すべての横桟２３は、縦桟２２上部の膨張部２２ａの前後方向の距離（膨張部２２ａの出っ張り量）だけ室外熱交換器１から背面側に遠ざかって位置する。下側枠２１Ｂは、膨張部２２ａよりも下方の下向き直線状の縦桟２２の下端が接続している。よって、すべての横桟２３および下側枠２１Ｂは前後方向に上側枠２１Ａよりも後方に位置している。
【００４１】  この室外機１００では、すべての横桟２３および下側枠２１Ｂが、天面パネル１５の背面側上フランジ１３ａ１および底板１１の背面側底フランジ１１ｂ１よりも後方に位置するような寸法で膨張部２２ａおよび膨張部２１ａが形成されている。こうして、横桟２３と室外熱交換器１との前後方向の間隔を大きくすることで、室外熱交換器１で形成された氷が横桟２３に架かる事態を回避している。
【００４２】  なお、図１１に示すように、下側枠２１Ｂは、底板１１の背面側底フランジ１１ｂ１の後方に位置し、下側枠２１Ｂと背面側底フランジ１１ｂ１とは前後方向に間隔を空けて向かい合っている。
【００４３】  上記のとおり、すべての横桟２３は、天面パネル１５の背面側上フランジ１３ａ１、および底板１１の背面側底フランジ１１ｂ１よりも後方に位置するので、保護ネット２２の通風口２４は、ケーシング１０背面の吸込口９よりも後方に位置することになる。空気流は、保護ネット２０の通風口２４を通ってから吸込口９を通過してケーシング１０内に流入し、室外熱交換器１を通過する。
【００４４】  この室外機１００では、室外熱交換器１と横桟２３との最近距離Ｌ、すなわち室外熱交換器１の背面から横桟２３の正面までの前後方向の距離Ｌが約２５ｍｍあり、縦桟２２に膨張部２２ａを設けない従来の場合に比べて最近距離Ｌは約３倍となっている。よって、室外熱交換器１に形成された氷が横桟２３まで伸びて横桟２３に架かることがなく、架かった氷が横桟２３の上で大きくなって通風口２４を塞ぐこともない。
【００４５】  続いて、この保護ネット２０の当該室外機１００への取り付けについて説明する。図９に示すように、保護ネット２０は、上側枠２１Ａの上端に連設され正面側に突出する天板部２５を有している。天板部２５は、室外熱交換器１の上面に対向する。図１２は、保護ネット２０の上部を正面側から見た斜視図である。図１２に示すように、さらに天板部２５の前端に連設され下方に突出する挟持板２６が形成されている。ここでは、挟持板２６は左右方向に分かれて複数形成されているが、左右方向に長い連続した１つの挟持板２６であっても良い。
【００４６】  挟持板２６と天板部２５と上側枠２１Ａとによって下向きに開口するＵ字状溝が形成される。このＵ字状溝に室外熱交換器１の上端部を収納し、挟持板２６と上側枠２１Ａとで室外熱交換器１の上端部を挟持する。これにより、保護ネット２０の上部が室外熱交換器１に支持される。挟持板２６の先端部２６ａは、室外熱交換器１の上端部がＵ字状溝に入り易いように正面側へと傾斜している。
【００４７】  天板部２５には、挟持板２６と上側枠２１Ａとで室外熱交換器１の上端部を挟持する際に保護ネット２０の左右方向の位置を合わせるための目印２５ａが設けられている。目印２５ａは、平面視で二等辺三角形状を呈しており、その頂点が天板部２５の前端となるように正面側に突出している。この目印２５ａの頂点を他の部品（例えば、ファンモータ支持板８）の特定の位置に合わせることで、保護ネット２０が左右方向に正しい位置に仮固定される。
【００４８】  図１０、１１に示すように、保護ネット２０が取り付けられた後で天面パネル１５が取り付けられるので、保護ネット２０の天板部２５は天面パネル１５に覆われる。そして、上側枠２１Ａは、室外熱交換器１の背面と背面側上フランジ１５ａ１との間に位置する。上側枠２１Ａの大部分は、背面側上フランジ１５ａ１と前後方向に並び、上フランジ１５ａ１によって隠されるが、縦桟２２の膨張部２２ａが接続している上側枠２１Ａの下部は、背面側上フランジ１５ａ１の下で外部に露出している。
【００４９】  室外熱交換器１の上端部が挟持板２６と上側枠２１Ａとの間に収められるとともに、反機械室側枠２１Ｄの下端部から下側枠２１Ｂの左端部（反機械室側の端部）にかけて、すなわち枠体２１の反機械室側の下端部に形成されている下側係止部２７が底板１１に支持される。図１３は、下側係止部２７とその周辺を示す拡大斜視図であり、保護ネット２０の左下部を正面側から見ている。
【００５０】  図１３に示すように、下側係止部２７は、枠体２１に一体成形されており、枠体２１の左下部から正面側へと突出する第１係止板２７ａと第１係止板２７ａの前端に連設され第１係止板２７ａと直角をなして左側（反機械室側）へと突出する第２係止板２７ｂとを備える。第１係止板２７ａと第２係止板２７ｂとは平面視でＬ字形状を呈し、両者の接続部は滑らかなカーブ形状となっている。さらに、第１係止板２７ａと第２係止板２７ｂとのカーブ形状の接続部の下側には下方に開いている切欠き２７ｃが形成されている。この切欠き２７ｃに沿って第１係止板２７ａの前端面２７ａ１が露出する。
【００５１】  そして、下側係止部２７の切欠き２７ｃに底板１１の背面側底フランジ１１ｂ１が収まる。その状態では、第１係止板２７ａは背面側底フランジ１１ｂ１の後方に位置し、第２係止板２７ｂは背面側底フランジ１１ｂ１の前方に位置する。背面側底フランジ１１ａ１に対して、第１係止板２７ａは直角をなし、第２係止板２７ｂは平行である。このとき、下側係止部２７は、室外熱交換器１の曲がり部１ｃの後方に位置している。
【００５２】  これにより、第１係止板２７ａの前端面２７ａ１が背面側底フランジ１１ｂ１の外向面と接触して保護ネット２０の左下部の前方への移動が規制され、第２係止板２７ｂが背面側底フランジ１１ｂ１の内向面と接触して保護ネット２０の左下部の背面側への移動が規制される。
【００５３】  ここで第２係止板２７ｂは第１係止板２７ａに対して左側、すなわち反機械室側に突出しているが、反対の方向、すなわち機械室側へと突出するように形成しても、保護ネット２０の左下部の背面側への移動を規制することはできる。しかし、室外熱交換器１と背面側底フランジ１１ｂ１との前後方向の間隔は、室外熱交換器１の曲がり部１ｃにおいては、曲がり部１ｃが前方へとカーブしているので反機械室側ほど大きくなる。このため、第２係止板２７ｂは反機械室側に突出している方が、機械室側に突出させた場合に比べて、室外熱交換器１との前後方向の隔たりを大きくすることができるのである。そうすることによって、室外熱交換器１に形成された氷が下側係止部２７の第２係止板２７ｂに架かることを防止している。
【００５４】  保護ネット２０が、上部を室外熱交換器１の上端部に支持され、左下部を底板１１の底フランジ１１ｂに支持された仮固定状態となった後で、機械室側枠２１Ｃの下部から突出する取付部２８をケーシング１０の右背面パネル１７にねじ固定する。図１４は、取付部２８とその周辺を示す拡大斜視図であり、保護ネット２０を背面側から見ている。
【００５５】  取付部２８は、枠体２１に一体成形されており、図１４に示すように、機械室側枠２１Ｃの膨張部２１ａよりも下方となる部分の外側面から機械室側（右側）に突出する台形形状のベース板２８ａと、ベース板２８ａの先端に連設され正面側へと突出するアーム板２８ｂと、アーム板２８ｂの前端に連設され機械室側（右側）に突出する固定板２８ｃと、固定板２８ｃに設けられるねじ通し孔２８ｄとを備えている。固定板２８ｃは前端面が平坦で右背面パネル１７と平行であり、ねじ通し孔２８ｄは固定板２８ｃを貫通している。
【００５６】  締結用ねじがそのねじ通し孔２８ｄを通って右背面パネル１７に形成されているねじ穴（図示せず）にねじ込まれて、固定板２８ｃの前端面が右背面パネル１７に接して固定される。こうして取付部２８が右背面パネル１７にねじ固定されることで、保護ネット２０が当該室外機１００の背面に取り付けられる。
【００５７】  取付部２８のねじ固定の際に、室外熱交換器１の機械室側端面に取り付けられている板金製の端板にねじ穴を設け、右背面パネル１７にはねじ穴ではなくねじ通し孔を設けて、締結用ねじが取付部２８のねじ通し孔２８ｄと右背面パネルのねじ通し孔をそれぞれ通って室外熱交換器１の端板のねじ穴にねじ込まれて、固定板２８ｃ、右背面パネル１７、室外熱交換器１の端板の３つをまとめて固定しても良い。
【００５８】  上述した反機械室側の下端部の下側係止部２７に替えて、反機械室側枠２１Ｄの下部にも機械室側枠２１Ｃと同様に取付部２８を突出させ、その反機械室側枠２１Ｄの取付部２８を左背面パネル１６にねじ固定して、保護ネット２０の反機械室側の下部を固定しても良い。ただし、反機械室側枠２１Ｄの取付部２８は、ベース板２８ａと固定板２８ｃが反機械室側（左側）に突出することになる。
【００５９】  また、保護ネット２０の大きさに応じて、取付部２８を上下方向に間隔を空けて複数設けても良い。反機械室側枠２１Ｄでは、下側係止部２７とともにその上方に間隔を空けて取付部２８を設けるようにしても良い。取付部２８の数量は保護ネット２０の大きさに基づき決定されるものである。
【００６０】  ここで、図１５は保護ネット２０の縦桟２２の横断面を示す要部断面斜視図である。図１５に示すように、縦桟２２は、強度確保と肉厚の均一化を図るために、横断面形状が、室外熱交換器１に向かって開口する、言い換えると正面側に開口するＵ字形状を呈している。このため、保護ネット２０の射出成形において、縦桟２２の横断面形状に起因していると推察される正面側と背面側との冷却時の収縮差（樹脂量が多い背面側の方が左右方向の収縮量が大きい）によって、保護ネット２０は横断面において室外熱交換器１側に凸となるように湾曲する反りが生じることがある。
【００６１】  そのため、仮にそのような反りが生じたとしても、保護ネット２０を室外機１００に取り付けた際にはその反りが矯正されて、横桟２３が室外熱交換器１に近づくことを抑制できるように、枠体２１に矯正部２９を設けている。図１６は、矯正部２９とその周辺を示す拡大斜視図であり、保護ネット２０を背面側から見ている。
【００６２】  矯正部２９は、枠体２１に一体成形されており、図１６に示すように、機械室側枠２１Ｃから突出している。図４に示すように、ここでは矯正部２９は、上下方向に最上の横桟２３とほぼ同じ位置に設けられている。矯正部２９は、機械室側枠２１Ｃの膨張部２１ａよりも下方で取付部２８とは異なる部分の外側面から機械室側枠２１Ｃの外側面から機械室側（右側）に突出する台形形状のベース板２９ａと、ベース板２８ａの先端に連設され正面側へと突出するアーム板２９ｂと、アーム板２８ｂの前端に連設され機械室側（右側）に突出する当て板２８ｃとを備えている。
【００６３】  アーム板２９ｂは取付部２８のアーム板２８ｂと平行である。当て板２９ｃは前端面が平坦で、取付部２８の固定板２８ｃの前端面と平行である。そして、当て板２９ｃの前端面は、固定板２８ｃの前端面と面一かそれよりも正面側に位置している。そのため、保護ネット２０を室外機１００に取り付けると、当て板２９ｃは右背面パネル１７と接触するだけでなく、取付部２８の固定板２８ｃが右背面パネル１７にねじ固定されることで、右背面パネル１７を押し付ける。すなわち、当て板２９ｃから右背面パネル１７に押付力が作用する。そして当て板２９ｃにはその押付力に対する右背面パネル１７の反力が作用し、それが枠体２１に伝わり横方向の反りを矯正する力となる。
【００６４】  ここでは矯正部２９は機械室側枠２１Ｃに１つだけ形成されているが、保護ネット２０の横方向の反りの状況に応じて、反機械室枠２１Ｄに形成して、左背面パネル１６を押し付けて左背面パネル１６からも反力を受けるようにしても良い。また、機械室側枠２１Ｃ、反機械室側枠２１Ｄのどちらであっても、１つだけでなく、保護ネット２０の大きさに応じて、上下方向に間隔を空けて複数形成して反力を受ける箇所を増やしても良い。また、枠体２１の一対の縦枠における矯正部２９の上下方向の位置は、反りの発生状況に応じて適宜決定されればよい。
【００６５】  取付部２８および矯正部２９は、膨張部２１ａを除く機械室側枠２１Ｃもしくは反機械室側枠２１Ｄに形成される。そのため、それらが形成される部分の機械室側枠２１Ｃもしくは反機械室側枠２１Ｄは、右背面パネル１６および左背面パネ１７よりも後方に位置している。そのため、取付部２８には、固定板２８ｃが右背面パネル１７もしくは左背面パネル１６と接触できるように、前方へと突出するアーム板２８ｂが必要となる。膨出部２１ａが後方に膨出した分をアーム板２８ｂが補うのである。矯正部２９のアーム板２９ｂも同じである。アーム板２８ｂ、２９ｂの上面を傾斜させてアーム板２８ｂ、２９ｂ上に雪が積もらないようにしても良い。
【００６６】  先に述べたように横桟２３は縦断面の形状が、室外熱交換器１に向かって開いているＶ字形状である。そのため、保護ネット２０の射出成形において、横桟２３の縦断面形状に起因していると推察される正面側と背面側との冷却時の収縮差（背面側の方が上下方向の収縮量が大きい）によって、保護ネット２０は縦断面において室外熱交換器１側に凸となるように湾曲する反りが生じることがある。このような縦方向の反りは、縦桟２２の断面形状に因ると推察されている横方向の反りに比べれば変形量が小さい反りである。
【００６７】  そこで、仮に縦断面における上記の反りが生じたとしても、保護ネット２０を室外機１００に取り付けた際にはその反りが矯正されて、横桟２３が室外熱交換器１に近づくことを抑制できるように、枠体２１の下側枠２１Ｂに矯正突起２９を設けている。図１７は、矯正突起３０の要部拡大斜視図であり、保護ネット２０を正面側から見ている。
【００６８】  矯正突起３０は、枠体２１に一体成形されており、図４に示すように、下側枠２１Ｂから正面側へと突出している。図１７に示すように、矯正突起３０は、正面視で略三角形状していて、必要な強度を確保しつつ、上面の面積を小さくして矯正突起３０への積雪防止を図っている。
【００６９】  矯正突起３０の正面側へ突出量は、取付部２８がねじ固定されたときに、矯正突起３０の前端面３０ａが底板１１の背面側底フランジ１１ｂ１の外向面に接触し、それを押し付けるような寸法に形成されている。そのため、室外機１００に保護ネット２０が取り付けられると、矯正突起３０が背面側底フランジ１１ｂ１を押し付ける。すなわち、矯正突起３０から右背面パネル１７に押付力が作用する。そして矯正突起３０にはその押付力に対する底フランジ１１ｂの反力が作用し、それが枠体２１に伝わり縦方向の反りを矯正する力となる。
【００７０】  ここでは矯正突起３０は下側枠２１Ｂに１つだけ形成されているが、保護ネット２０の大きさに応じて、左右方向に間隔を空けて複数形成してもよい。また、下側枠２１Ｂにおける矯正突起３０の左右方向の位置は、反りの発生状況に応じて適宜決定されればよい。
【００７１】  なお、矯正部２９が保護ネット２０の横方向の反りを、矯正突起３０が保護ネット２０の縦方向の反りを矯正するものと明確に分けられるものではなく、矯正部２９が縦方向の反りの矯正に寄与したり、矯正突起３０が横方向の反りの矯正に寄与したりもする。矯正部２９が保護ネット２０の主に横方向の反りを、矯正突起３０が保護ネット２０の縦方向の反りを主に矯正するというものである。
【００７２】  また、下側枠２１Ｂには、図３に示すように、底板１１の脚部１１ａの上となる位置に、部分的に底板１１の方向へ、すなわち正面側へと出っ張った態様の前方逃げ部３１が形成されている。図１８は、この前方逃げ部３１とその周辺を示す拡大斜視図であり、保護ネット２０を背面側から見ている。
【００７３】  底板１１よりも前後方向に突出している脚部１１ａの両端部にはそれぞれ、通し孔もしくは切欠きが形成されていて、そこをボルトが通って、脚部１１ａが室外機用架台にボルト固定される場合がある。下側枠２１Ｂは、上部の膨張部２１ａにより、背面側底フランジ１１ｂ１と距離を隔ててその後方に位置しているので、前後方向に脚部１１ａの後端部の近く位置される。そのため、設置作業者が脚部１１ａの後端部をボルトで固定する際に、下側枠２１Ｂがその作業の妨げとなる恐れがある。
【００７４】  そこで、保護ネット２０が室外機１００に取り付けられた状態で、脚部１１ａの上となる位置の下側枠２１Ｂには、左右方向に脚部１１ａを跨いで部分的に底板１１の背面側底フランジ１１ｂ１へと近づく前方逃げ部３１が設けられている。そのため、脚部１１ａの後端部の上方には作業空間が確保され、下側枠２１Ｂが脚部１１ａをボルトで固定する作業の妨げとはならない。
【００７５】  この室外機１００では、一対の脚部１１ａのうち、機械室側に位置する脚部１１ａの上には、保護ネット２０が位置しないため、反機械室側に位置する脚部１１ａの上に１箇所だけ前方逃げ部３１が形成されている。保護ネット２０の下に複数の脚部１１ａがある場合には、それら脚部１１ａのそれぞれに対して前方逃げ部３１を設ければよい。
【００７６】  保護ネット２０が室外機１００に取り付けられると、この前方逃げ部３１の前端面は底板１１の背面側底フランジ１１ｂ１と対向するが、取り付け状態にて、前方逃げ部３１の前端面が背面側底フランジ１１ｂ１を押し付けるような寸法（下側枠２１Ｂから正面側へと突き出ている長さ）で前方逃げ部３１を構成して、上述の矯正突起３０と同様に、前方逃げ部３１を保護ネット２０の反りの矯正に利用することも可能である。
【００７７】  以上のように、実施の形態１の保護ネット２０は、横桟２３の上面が、背面側へ斜め下向きに傾斜している後側上面２３ａと正面側へ斜め下向きに傾斜している前側上面２３ｂとの２つの傾斜面が組み合わされて、下方に開くＶ字状に形成されているので、降雪時、横桟２３に載った雪は後側上面２３ａもしくは前側上面２３ｂの下向きの傾斜に沿って滑り落ち、横桟２３の上には雪が積もらない。そのため、横桟２３の上で雪が氷結することがなく、氷によって保護ネット２０の通風口２４の開口面積が減少することがない。よって、室外機１００は、室外熱交換器１を通過する空気流量が低下することがなく、暖房性能の低下が生じない信頼性の高いものとなる。
【００７８】  また、降雪時に横桟２３の上で雪が氷結することがないので、氷が横桟２３の上で大きくなって室外熱交換器１に接触して室外熱交換器１のフィンを変形させるような事態は起こらない。そのため、室外機１００はフィンの変形による室外熱交換器１を通過する空気流量の低下が生じることがない信頼性の高いものとなる。
【００７９】  さらに、横桟２３は、上端となる後側上面２３ａと前側上面２３ｂとの接続部２３ｃにＲ面が形成されていない。樹脂製の保護ネット２０が射出成形される時の金型の分離面を接続部２３ｃの位置に合わせることで、接続部２３ｃにＲ面（ラウンド形状）が形成されないようにすることができる。このようにして横桟２３は上端にＲ面を有していないため、横桟２３の上に載った雪を横桟２３上に留めることなくすばやく滑り落とすことができる。
【００８０】  そして、保護ネット２０は、枠体２１の下側枠２１Ｂの上部に後方へと下る傾斜面２１Ｂ１を備えている。このため、降雪時、下側枠２１Ｂに載った雪はこの傾斜面２１Ｂ１の傾斜に沿って滑り落ち、ここに雪は積もらない。そのため、下側枠２１Ｂの上で雪が氷結することがなく、氷によって保護ネット２０の通風口２４の開口面積が減少することがない。よって、室外機１００は、室外熱交換器１を通過する空気流量が低下することがなく、室外熱交換器１における冷媒の熱交換量が生じない信頼性の高いものとなる。
【００８１】  また、保護ネット２０は、いちばん上に位置する横桟２３よりも上方となる縦桟２２の上部に枠体２１の上側枠２１Ａより背面側へと出っ張っている膨張部２２ａを有していて、膨張部２２ａより下方の縦桟２３は下側枠２１Ｂまで下向きに直線状となっている。そして、すべての縦桟２３は膨張部２２ａよりも下方で縦桟２２と交差している。これにより、すべての横桟２３は、縦桟２２の膨張部２２ａが後方へと突き出ている距離だけ室外熱交換器１から背面側に遠ざかって位置する。そのため、室外熱交換器１に形成された氷が横桟２３に架かることがなく、架かった氷が横桟２３の上で大きくなって通風口２４を塞ぐこともない。よって、室外機１００は、保護ネット２０の通風口２４を通って室外熱交換器１へ向かう空気流量が低下することがない。
【００８２】  また、横桟２３は、上面に後側上面２３ａと前側上面２３ｂとの２つの傾斜面を有しつつ、縦断面形状が室外熱交換器１の方向に開くＶ字形状となっている。そのため、横桟２３は、肉厚が均一であり、保護ネット２０の射出成形時に溶融樹脂のスムーズな流動性を確保することができ、またヒケの発生が防止できる。
【００８３】  また、保護ネット２０は、枠体２１の機械室側枠２１Ｃから突出しケーシング１０の右背面パネル１７にねじで固定される、もしくは反機械室側枠２１Ｄから突出し左背面パネル１６にねじで固定される取付部２８を備え、その取付部２８は、前方へと延出するアーム板２８ｂを有している。機械室側枠２１Ｃもしくは反機械室側枠２１Ｄは、上部の膨張部２１ａよりも下方が、膨張部２１ａが後方へと突き出ている距離だけ室外熱交換器１から背面側に遠ざかって位置している。そうであっても、取付部２８はアーム板２８ｂを有しているので、固定板２８ｃが右背面パネル１７もしくは左背面パネル１６と接触することができる。
【００８４】  また、保護ネット２０は、枠体２１の反機械室側の下部に、底板１１の背面側底フランジ１１ｂ１に引っ掛かって保護ネット２０の反機械室側下部の前後方向の動きを規制する下側係止部２７を有する。保護ネット２０の取り付け作業にあたって、作業者は下側係止部２７の切欠き２７ｃに背面側底フランジ１１ｂ１を収めるだけでよいので作業性に優れる。そして、下側係止部２７は、室外熱交換器１のカーブ部１ｃの後方に位置するように設けられているので、室外熱交換器１との前後方向の間隔が大きく、室外熱交換器１に形成された氷が下側係止部２７に架かることを防止できる。
【００８５】  また、保護ネット２０は、枠体２１の機械室側枠２１Ｃから正面側へと突出してケーシング１０の右背面パネル１７に接触し、もしくは反機械室側枠２１Ｄから突出して左背面パネル１６に接触し、取付部２８がねじで固定されると、右背面パネル１７もしくは左背面パネル１６を押し付け、その押付力に対する右背面パネル１７もしくは左背面パネル１６からの反力を受ける矯正部２９を備える。これにより、保護ネット２０に室外熱交換器１側に凸となるように湾曲する反りが生じていたとしても、保護ネット２０を取り付けた際には矯正部２９に作用する反力によって反りが矯正されて、横桟２３が室外熱交換器１に近づいた状態となることを回避できる。
【００８６】  また、保護ネット２０は、枠体２１の下側枠２１Ｂから前方へ突出して底板１１の背面側底フランジ１１ｂ１に接触し、取付部２８がねじで固定されると、背面側底フランジ１１ｂ１を押し付け、その押付力に対する背面側底フランジ１１ｂ１からの反力を受ける矯正突起３０を備える。これにより、保護ネット２０に室外熱交換器１側に凸となるように湾曲する反りが生じていたとしても、保護ネット２０を取り付けた際には矯正突起３０に作用する上記の反力によって反りが矯正されて、横桟２３が室外熱交換器１に近づいた状態となることを回避できる。
【００８７】  また、保護ネット２０は、枠体２１の下側枠２１Ｂに部分的に前方へ出っ張る前方逃げ部３１を有する。前方逃げ部３１は底板１１の脚部１１ａの上に位置し、左右方向に脚部１１ａを跨いで形成される。下側枠２１Ｂは、一対の縦枠に膨張部２１ａ、そして縦桟２２に膨張部２２ａがあることによって、背面側底フランジ１１ｂ１の後方に、背面側底フランジ１１ｂ１と距離を隔てて位置しているが、前方逃げ部３１により、脚部１１ａの上方に作業空間を確保することができ、設置作業者が脚部１１ａを例えば室外機用架台にボルトで固定する際に、下側枠２１Ｂが作業の妨げとなることがない。
【００８８】実施の形態２．  次に、この発明の実施の形態２について、図面を参照しながら説明する。図１９は、この発明の実施の形態２に係る空気調和機の室外機２００を背面側から見た外観斜視図である。そして、図２０は、その室外機２００の吸込口９に取り付けられている保護ネット４０の単体の斜視図で、正面側から見ており、室外熱交換器１と対向する側が示されている。この保護ネット４０は、実施の形態１で示した室外機１００の保護ネット２０が有する前方逃げ部３１を備えておらず、代わりに下部に上方逃げ部４１を備えている。室外機２００および保護ネット４０の構成、作用は、上方逃げ部４１以外は、実施の形態１の室外機１００および保護ネット２０と同じであり、室外機１００および保護ネット２０と同一もしくは相当する部位には同一符号を付して、その説明は省略する。
【００８９】  図１９に示すように、反機械室側に位置する脚部１１ａは、左右方向に反機械室側枠２１Ｄと反機械室側枠２１Ｄに最も近い位置の縦桟２２との間に位置している。そして、図２０にも示すように、保護ネット４０の下側枠２１Ｂにおいて、反機械室側枠２１Ｄと上記の縦桟２２との間の部分は上方移動部２１ｂとなっており、他の下側枠２１Ｂよりも上方にずれて配置されている。上方移動部２１ｂは、上方移動部２１ｂ以外の下側枠２１Ｂよりも、横桟２３に近づいている。
【００９０】  上方移動部２１ｂが上方にずれて配置されているので、上方移動部２１ｂの下には空間である上方逃げ部４１が形成される。上方逃げ部４１は、反機械室側枠２１Ｄと反機械室側枠２１Ｄの隣の縦桟２２との間に設けられているので、左右方向に反機械室側の脚部１１ａを跨いでいる。そのため、その脚部１１ａの後端部の上方に作業空間が確保され、下側枠２１Ｂが脚部１１ａをボルトで固定する作業の妨げとはならない。
【００９１】  機械室側に位置する脚部１１ａは、保護ネット４０の下に位置していないので、この保護ネット４０には上方逃げ部４１が反機械室側枠２１Ｄとその隣の縦桟２２との間にのみ設けられている。脚部１１ａが、左右方向に、機械室側枠２１Ｃとその隣の縦桟２２の間に位置していたり、隣り合う縦桟２２の間に位置していたりする場合には、下側枠２１Ｂのその間の部分を上方移動部２１ｂとして上方にずらして上方逃げ部４１を形成すればよい。すなわち、上方逃げ部４１は、左右方向に脚部１１ａを跨いでいる縦枠とその縦枠の隣の縦桟２２との間、もしくは隣り合う縦桟２２の間に設けられるものである。
【００９２】  以上のように、保護ネット４０の下側枠２１Ｂは、脚部１１ａの上となる位置に、左右方向に脚部１１ａを跨いで部分的に上方にずれている上方移動部２１ｂを有しており、そのため上方移動部２１ｂの下には空間である上方逃げ部４１が設けられる。下側枠２１Ｂは、背面側底フランジ１１ｂ１の後方に、背面側底フランジ１１ｂ１と距離を隔てて位置しているが、上方逃げ部４１により、脚部１１ａの上方に作業空間を確保することができ、設置作業者が脚部１１ａを例えば室外機用架台にボルトで固定する際に、下側枠２１Ｂが作業の妨げとなることがない。
【００９３】  なお、ここまで室外熱交換器１は平面視でＬ字形状のものを用いて説明してきたが、短辺部１ｂおよび曲がり部１ｃを有さず、背面側底フランジ１１ｂ１に平行な長辺部１ａのみで構成される平面視でＩ字形状の熱交換器、換言すると、フラットタイプの熱交換器であっても、本発明は適用でき、同様な効果が得られる。この場合は熱交換器がすべて吸込口９に面していて良い。
【符号の説明】
【００９４】  １  室外熱交換器、９  吸込口、１０  ケーシング、１１  底板、１１ａ  脚部、１１ｂ  底フランジ、１１ｂ１  背面側底フランジ、２０  保護ネット、２１  枠体、２１Ａ  上側枠、２１ａ  膨張部、２１Ｂ  下側枠、２１Ｂ１  傾斜面、２１ｂ  上方移動部、２１Ｃ  機械室側枠（縦枠）、２１Ｄ  反機械室側枠（縦枠）、２２  縦桟、２２ａ  膨張部、２３  横桟、２３ａ  後側上面、２３ｂ  前側上面、２３ｃ  接続部、２４  通風口、２８  取付部、２８ｂ  アーム板、２８ｃ  固定板、２９  矯正部、２９ｂ  アーム板、２９ｃ  当て板、３０  矯正突起、３１  前方逃げ部、４０  保護ネット、４１  上方逃げ部、１００  室外機、２００  室外機。
【図１】
2019215803.tif 000003
【図２】
2019215803.tif 000004
【図３】
2019215803.tif 000005
【図４】
2019215803.tif 000006
【図５】
2019215803.tif 000007
【図６】
2019215803.tif 000008
【図７】
2019215803.tif 000009
【図８】
2019215803.tif 000010
【図９】
2019215803.tif 000011
【図１０】
2019215803.tif 000012
【図１１】
2019215803.tif 000013
【図１２】
2019215803.tif 000014
【図１３】
2019215803.tif 000015
【図１４】
2019215803.tif 000016
【図１５】
2019215803.tif 000017
【図１６】
2019215803.tif 000018
【図１７】
2019215803.tif 000019
【図１８】
2019215803.tif 000020
【図１９】
2019215803.tif 000021
【図２０】
2019215803.tif 000022
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
背面に吸込口が形成されたケーシングと、
前記吸込口に少なくとも一部分が面して前記ケーシング内に設置される室外熱交換器と、
複数の通風口を有して前記吸込口に設けられる保護ネットと、を備え、
前記保護ネットは、
外周部を構成する枠体と、前記枠体の内側で互いに交差して複数の前記通風口を形成する複数の縦桟および複数の横桟と、を有し、
前記横桟は、
上面が後方に下って傾斜する後側上面と前方に下って傾斜する前側上面とが鋭角をなすように互いの上端が接続して組み合わされて縦断面視にて下方に開くＶ字状を示している空気調和機の室外機。
【請求項２】
前記横桟の上端となる前記後側上面と前記前側上面との接続部の位置にパーティングラインが設定されて該接続部にはＲ面が形成されていない請求項１に記載の空気調和機の室外機。
【請求項３】
前記枠体は、複数の前記縦桟が跨っている上側枠および下側枠を有し、
前記下側枠は、前後方向に前記上側枠よりも後方に位置し、
前記縦桟は、前記上側枠から後方へ出っ張る膨張部を有し、該膨張部から下は下向きに直線状に延出して前記下側枠に接続され、
複数の前記横桟は、前記膨張部よりも下方で前記縦桟と交差している請求項１または２に記載の空気調和機の室外機。
【請求項４】
前記下側枠は、上部に後方へと下る傾斜面が形成されている請求項３に記載の空気調和機の室外機。
【請求項５】
前記枠体は、前記上側枠と前記下側枠との両端部をそれぞれ上下方向に接続する一対の縦枠を有し、
前記一対の縦枠は、前記上側枠から後方へ出っ張る膨張部を有し、該膨張部から下は下向きに直線状に延出して前記下側枠に接続され、
前記一対の縦枠の少なくとも一方は、前記膨張部よりも下方となる部分から突出する取付部を有し、
前記取付部は、前方へと延出するアーム板と、このアーム板の前端に連設され前記ケーシングの背面に固定される固定板と、を有する請求項３または４記載の空気調和機の室外機。
【請求項６】
前記一対の縦枠の少なくとも一方は、前記膨張部よりも下方で前記取付部とは異なる部分から突出する矯正部を有し、
前記矯正部は、前方へと延出するアーム板と、このアーム板の前端に連設される当て板を有し、
前記取付部の固定板が前記ケーシングの背面に固定されると、前記当て板から前記ケーシングの背面に押付力が作用する請求項５記載の空気調和機の室外機。
【請求項７】
前記ケーシングは、該ケーシングの底面を構成し、平面視で長方形状の底板を有し、
前記底板は、周囲に上向きに折り曲げられた底フランジを有し、
前記下側枠は、前記底フランジにあって背面側に位置する背面側底フランジの後方に、該背面側底フランジと前後方向に間隔を空けて位置するとともに、前方へ突出する矯正突起を有し、
前記取付部の固定板が前記ケーシングの背面に固定されると、前記矯正突起から前記背面側底フランジに押付力が作用する請求項５記載の空気調和機の室外機。
【請求項８】
前記ケーシングは、該ケーシングの底面を構成するとともに、下面に脚部が固定されている底板を有し、
前記脚部は、前後方向に前記底板を跨いでおり、
前記下側枠は、前記脚部の上となる位置に、左右方向に前記脚部を跨いで部分的に前方へ出っ張る前方逃げ部を有する請求項３から６のいずれかに記載の空気調和機の室外機。
【請求項９】
前記ケーシングは、該ケーシングの底面を構成するとともに、下面に脚部が固定されている底板を有し、
前記脚部は、前後方向に前記底板を跨いでおり、
前記下側枠は、前記脚部の上となる位置に、左右方向に前記脚部を跨いで部分的に上方にずれている上方移動部を有している請求項３から６のいずれかに記載の空気調和機の室外機。
【請求項１０】
前記横桟は、縦断面形状が前記室外熱交換器の方向に開くＶ字形状である請求項１から９のいずれかに記載の空気調和機の室外機。
【手続補正２】
【補正対象書類名】明細書
【補正対象項目名】０００８
【補正方法】変更
【補正の内容】
【０００８】
この発明に係る空気調和機の室外機は、背面に吸込口が形成されたケーシングと、前記吸込口に少なくとも一部分が面して前記ケーシング内に設置される室外熱交換器と、複数の通風口を有して前記吸込口に設けられる保護ネットと、を備え、前記保護ネットは、外周部を構成する枠体と、前記枠体の内側で互いに交差して複数の前記通風口を形成する複数の縦桟および複数の横桟と、を有し、前記横桟は、上面が後方に下って傾斜する後側上面と前方に下って傾斜する前側上面とが鋭角をなすように互いの上端が接続して組み合わされて縦断面視にて下方に開くＶ字状を示しているものである。
【手続補正３】
【補正対象書類名】明細書
【補正対象項目名】００２５
【補正方法】変更
【補正の内容】
【００２５】
図５は、保護ネット２０の横桟２３の縦断面を示す要部断面斜視図、図６は横桟２３の縦断面図である。図６に示すように、縦断面視にて、横桟２３の上面は平坦ではなく、下方に開くＶ字状、別の言い方をすれば、Λ（ラムダ）状を示している。後側上面２３ａが正面側から背面側に向かって下る傾斜面となっており、前側上面２３ｂが背面側から正面側に向かって下る傾斜面となっている。このように傾斜方向が相反する後側上面２３ａと前側上面２３ｂとが鋭角をなすように互いの上端が接続部２３ｃで接続している。
【国際調査報告】
2019215803.tif 000023
2019215803.tif 000024
2019215803.tif 000025
2019215803.tif 000026